(57)【要約】【課題】空気中に含まれているアセトンを高精度にかつ簡便に測定可能にする。【解決手段】２−または４−位に官能基を有するフェニルヒドラジン化合物として４−ニトロフェニルヒドラジンと塩酸とをメタノールに溶解して作製した検知溶液１０１を容器１０２の中に作製し、これに、平均孔径４ｎｍの多孔質ガラスである多孔体１０３を２４時間浸漬する。このようにして多孔体１０３の孔内に検知剤溶液を含浸させたのち、検知剤が含浸した多孔体１０３を風乾し、窒素ガス気流中に２４時間放置して乾燥し、検知素子（アセトン検知素子）１０３ａを作製する。検知素子１０３ａにはフェニルヒドラジン化合物および塩酸よりなる検知剤が導入され、検知素子１０３ａの多孔質の孔内に上記検知剤が担持されているものとなる。【選択図】図１
2019196908.tif 000002
【特許請求の範囲】
【請求項１】
ガラスからなる多孔体と、前記多孔体の孔内に配置された２−または４−位に官能基を有するフェニルヒドラジン化合物および酸よりなる検知剤とを備えることを特徴とするアセトン検知素子。
【請求項２】
請求項１記載のアセトン検知素子において、前記フェニルヒドラジン化合物は、４−ニトロフェニルヒドラジンであり、前記酸は塩酸であることを特徴とするアセトン検知素子。
【請求項３】
請求項１記載のアセトン検知素子において、前記フェニルヒドラジン化合物は、２−ニトロフェニルヒドラジンであり、前記酸は塩酸であることを特徴とするアセトン検知素子。
【請求項４】
請求項１〜３のいずれか１項に記載のアセトン検知素子において、前記多孔体は、孔径が２０ｎｍ以下であることを特徴とするアセトン検知素子。
【発明の詳細な説明】
【技術分野】
【０００１】
本発明は、気体中に存在するアセトンを検出する検知素子に関する。
【背景技術】
【０００２】
有機溶剤のひとつとして洗浄や有機合成の分野で多用されるアセトンは、生体内で脂肪の分解の際にも発生することが知られている。そのため呼気中の濃度が糖尿病を患っている人間において健常者の２倍以上（おおよそ２ｐｐｍ以上）であることが知られている。そのため呼気中のアセトン濃度の分析により糖尿病の病気の管理や予防に用いることが提唱され、研究されている。現在糖尿病患者の日常の管理は侵襲的手段である血液の分析によって行われており、患者に苦痛を与え、また特別の技術や注意を必要としている。それに比して呼気の分析は非侵襲の方法であり、患者に苦痛を与えず、また特別の技術を必要としないという利点がある。
【０００３】
このため呼気中のアセトン分析技術として、タングステン酸化物などを用いた半導体センサ（非特許文献１参照）やバイオセンサ（非特許文献２参照）などが提唱されている。また、呼気をいったん吸収材に吸着させその後高速液体クロマトグラフを用いて分析する方法（非特許文献３参照）などが提唱されている。例えば、非特許文献１の技術では、ＳｉをドープしたＷＯ３ナノ粒子薄膜を作製し、アセトン検出用半導体センサとしている。このセンサによれば、裏面にヒータを置くことで相対湿度８０〜９０％の雰囲気中の数十ｐｐｂのアセトンを数十秒で検出することが可能とされている。
【０００４】
また、非特許文献２の技術では、二級アルコール脱水素酵素の逆反応により消費される還元型ニコチンアミドアデニンジヌクレオチドの発光を検出することでアセトンの検出を行なっている。センサ薄膜は多孔質基板上に固定され、光源と蛍光検出器を有する光ファイバ型検出装置を作製し、蛍光の検出を行なっている。この方法によると０．０２〜５．３ｐｐｍのアセトンの定量が可能であるとされている。
【０００５】
また、非特許文献３の技術では、ＤＮＰＨがコートされたシリカ（Waters Sep-Pak Cartridge）を吸着材として用い、アセトンをＤＮＰＨ誘導体にして、その後アセトニトリル、水、テトラヒドロフランの混合溶液で溶出させ、高速液体クロマトグラフィーで分析している。この方法によると７ｐｐｍのアセトンが標準的に分析可能であるとされている。
【先行技術文献】
【非特許文献】
【０００６】
【非特許文献１】M. Righettoni, et al. “Breath acetone monitoring by portable Si:WO3 gas sensors”, Anal. Chim. Acta, 2012, 738, 69-75.
【非特許文献２】簡  伯任、他“二級アルコール脱水素酵素を用いたアセトン用バイオスニファと生体ガス計測への応用”、Chemical Sensors, 2016, 32(A), 114-116.
【非特許文献３】C. H. Risner, “High-Performance Liquid Chromatographic Determination of Major Crabonyl Compounds from Various Sources in Ambient Air”, J. Chromatog. Sci., 1995, 33, 168-176.
【発明の概要】
【発明が解決しようとする課題】
【０００７】
しかしながら、上述した従来の測定技術では、以下に示すように気体中に含まれるアセトンを、簡便に測定できないという問題があった。まず、非特許文献１の半導体センサでは、測定時に半導体表面を高温に保っておくためにヒータを用いなければならないという問題があった。また信号を取り出すために常時通電してリアルタイムで信号を取り出す必要があるという不都合があった。また、非特許文献２の技術も同様に信号を取り出すために常時通電してリアルタイムで信号を取り出す必要があるという不都合があった。またバイオセンサを用いているために、使用が１回だけであるという不都合もあった。さらに蛍光測定のため大型の装置が必要であった。また、非特許文献３の方法は、吸着時に空気のサンプリングのためのポンプが必要で電力を必要とし、分析には大型の高速液体クロマトグラム装置を用いる必要がありその場での分析が出来ないという不都合があった。また溶出液として多くの溶媒を用いる必要があった。
【０００８】
本発明は、以上のような問題点を解決するためになされたものであり、気体中に含まれているアセトンを、高感度でかつ簡便に、省電力かつ化学薬品の使用を抑えて測定可能にすることを目的とする。
【課題を解決するための手段】
【０００９】
本発明に係るアセトン検知素子は、ガラスからなる多孔体と、多孔体の孔内に配置された２−または４−位に官能基を有するフェニルヒドラジン化合物および酸よりなる検知剤とを備えるようにしたものである。アセトン検知素子の孔内にアセトンが侵入すると、孔内に配置された上記フェニルヒドラジン化合物が反応し、可視光領域に光吸収特性を備える反応生成物が生成される。また特に反応生成物が光吸収を示す吸収極大の波長が、反応出発物質である上記フェニルヒドラジン化合物の光吸収を示す吸収極大の波長に比較して、５０ｎｍ以上の長波長領域に存在し、反応出発物質と反応生成物質の吸収スペクトルが明らかに異なるという特徴がある。
【００１０】
上記アセトン検知素子において、上記フェニルヒドラジン化合物は、４−ニトロフェニルヒドラジンであり、酸は塩酸である。また、上記フェニルヒドラジン化合物は２−ニトロフェニルヒドラジンである。なお、多孔体は、孔径が２０ｎｍ以下であればよい。
【発明の効果】
【００１１】
本発明によれば、ガラスからなる多孔体の孔内に、２−または４−位に官能基を有するフェニルヒドラジン化合物、酸よりなる検知剤を備える（配置する）ようにしたので、気体中に含まれているアセトンを、高感度にかつ簡便に測定することが出来るようになるという優れた効果が得られる。また多孔材料は比表面性が大きいためポンプなどを用いて気体の吸引をする必要がなく省電力であり、また作製時に少量の化学薬品を用いるだけで、検出時に化学薬品の使用が必要ないという、環境面でも優れた効果が得られる。
【図面の簡単な説明】
【００１２】
【図１】本発明の実施の形態におけるアセトン検知素子について説明するための説明図である。
【図２】実施の形態１におけるアセトン検知素子を用いた測定における、アセトンを測定対象とした前後２回の吸光度の測定結果を示す特性図である。
【図３】アセトン濃度を１〜１０ｐｐｍの濃度範囲で作製した試料空気に、実施の形態１のアセトン検知素子を３時間暴露することによる測定の結果を示す特性図である。
【図４】アセトンの濃度を１ｐｐｍの濃度範囲で作製した試料空気に、実施の形態１のアセトン検知素子を３〜６時間暴露することによる測定の結果を示す特性図である。
【図５】実施の形態２におけるアセトン検知素子を用いた測定における、アセトンを測定対象とした前後２回の吸光度の測定結果を示す特性図である。
【図６】アセトン濃度を１〜１０ｐｐｍの濃度範囲で作製した試料空気に、実施の形態２のアセトン検知素子を３時間暴露することによる測定の結果を示す特性図である。
【図７】アセトンの濃度を１ｐｐｍの濃度範囲で作製した試料空気に、実施の形態２のアセトン検知素子を３〜６時間暴露することによる測定の結果を示す特性図である。
【図８】比較例１におけるアセトン検知素子を用いた測定における、アセトンを測定対象とした前後２回の吸光度の測定結果を示す特性図である。
【図９】比較例２におけるアセトン検知素子を用いた測定における、アセトンを測定対象とした前後２回の吸光度の測定結果を示す特性図である。
【発明を実施するための形態】
【００１３】
以下、図面を参照して本発明の実施の形態について説明する。しかしながら、かかる実施の形態例が、本発明の技術的範囲を限定するものではない。
【００１４】
［実施の形態１］
はじめに、本発明の実施の形態１におけるアセトン検知素子について、検知素子の作製方法とともに説明する。実施の形態１において用いる２−または４−位に官能基を有するフェニルヒドラジン化合物は、４−ニトロフェニルヒドラジンである。まず、アセトン検知素子の作製方法について説明すると、図１（ａ）に示すように、４−ニトロフェニルヒドラジン０．０１ｇと塩酸０．１ｍｌとをメタノールに溶解して全量を２５ｍｌとした検知剤溶液１０１を、容器１０２の中に作製する。
【００１５】
次に、図１（ｂ）に示すように、検知剤溶液１０１に、平均孔径４nmの多孔質ガラスである多孔体１０３を浸漬する。多孔体１０３は、例えば、コーニング社製のバイコール＃７３９０である。また、多孔体１０３は、例えば、８（ｍｍ）×８（ｍｍ）で厚さ１（ｍｍ）のチップサイズである。なお、多孔体１０３は、平均孔径が２０ｎｍ以下であるとよい。また、ここでは検知素子１０３ａを板状としたが、これに限るものではなく、ファイバ状に形成するようにしてもよい。
【００１６】
多孔体１０３をガラス(硼珪酸ガラス)から構成した場合、この平均孔径を２０ｎｍ以下とすることで、可視ＵＶ波長領域（波長２００〜２０００ｎｍ）での透過スペクトルの測定において、可視光領域（３８０〜８００ｎｍ）では光が透過する。しかし、平均孔径が２０ｎｍを超えて大きくなると、可視領域で急激な透過率の減少が観測されることが判明している（特許第３６３９１２３号公報）。このことにより、多孔体は、平均孔径が２０ｎｍ以下とした方が良い。本実施の形態における多孔体１０３の比表面積は１ｇ当たり１００ｍ２以上である。なお、多孔体１０３は、多孔質ガラスに限らず、担持する検知剤（検知溶液）と反応しない透明な（透光性を有する）材料から構成されていてもよい。
【００１７】
上述した多孔体１０３を検知剤溶液１０１に遮光した状態で２４時間含浸し、多孔体１０３の孔内に検知剤溶液を含浸させた後、検知剤が含浸した多孔体１０３を風乾し、図１（ｃ）に示すように、遮光状態で窒素ガス気流中に２４時間放置して乾燥し、検知素子（アセトン検知素子）１０３ａを作製する。従って、検知素子１０３ａにはフェニルヒドラジン化合物と酸よりなる検知剤が導入され、検知素子１０３ａの多孔質の孔内に上記検知剤が担持されているものとなる。本実施例１では、フェニルヒドラジン化合物として、４−ニトロフェニルヒドラジンを用い、酸として塩酸を用いている。
【００１８】
このように構成された検知素子１０３ａによれば、孔内にアセトンが侵入すると、孔内に配置されたフェニルヒドラジン化合物（４−ニトロフェニルヒドラジン）とが酸性条件で反応し、可視光域に光吸収特性を備える反応生成物が生成される。この結果、以下に示すように、検知素子の吸光度が、アセトンを測定した後に変化するものと考えられる。
【００１９】
次に、検知素子１０３ａを用いたアセトンの検出方法について説明すると、まず、検知素子１０３ａの厚さ方向の吸光度を測定する。例えば、図１（ｄ）に示すように、光強度Ｉ０の入射光を透過させた透過光の強度Ｉを測定し、これらより吸光度（＝ｌｏｇ10（Ｉ０／Ｉ））を求める。
【００２０】
次に、図１（ｅ）に示すように、例えば１０ｐｐｍの濃度のアセトンが存在する測定対象の空気１０４中に、検知素子１０３ａを３時間暴露する。この暴露は、室温（約２５℃）の状態で行う。この後、暴露後の検知素子１０３ｂを測定対象の空気１０４中より取り出し、図１（ｆ）に示すように、暴露後の検知素子１０３ｂの厚さ方向の吸光度を測定する。
【００２１】
上述した２回の吸光度の測定（吸光光度分析）結果を図２に示す。図２では、測定対象の空気に暴露する前の吸光度の測定結果を破線で示し、暴露した後の吸光度の測定結果を実線で示す。図２に示すように、波長３９５ｎｍ程度を中心として波長３００〜５００ｎｍの範囲において、実線（暴露後吸収スペクトル）と破線（暴露前吸収スペクトル）との間に大きな違いがみられる。実線から破線を差し引くことで、反応生成物質の吸収極大が判明し、実施の形態１において、それはおよそ３９５ｎｍである。吸収極大を示す波長は、反応出発物質の４−ニトロフェニルヒドラジンでは３１０ｎｍ、反応生成物質のアセトン−４−ニトロフェニルヒドラゾンでは３９５ｎｍで両者の間の違いは８５ｎｍである。特に、可視領域である３８０〜５００ｎｍに大きな違いがみられ、暴露前の検知素子は目視でほぼ透明にみられるが、暴露後は黄色にみられる。
【００２２】
図２に示したように、アセトンが含まれる空気に検知素子１０３ａを暴露した後の、検知素子１０３ｂの吸光度の測定（実線）では、おおよそ３８０ｎｍを中心とした吸光度が増加している。従って、本実施の形態におけるアセトン検知素子における光吸収の変化の測定や、色の変化の観察により、アセトンの測定及び定量などの測定が可能になる。例えば、紫外の発光ダイオード（中心波長３８５ｎｍ）からの光の透過率を測定することで上記光吸収の変化が検出可能である。
【００２３】
次に、本実施の形態におけるアセトン検知素子を用いた測定例について説明する。例えば、アセトン濃度を１〜１０ｐｐｍの濃度範囲で作製した試料空気に、本実施の形態のアセトン検知素子を、３時間暴露する。この暴露の前と後とにおける検知素子の、波長３９５ｎｍにおける透過吸光度の差と、試料空気におけるアセトン濃度との関係を調べると、図３に示すようになり、アセトン濃度が高い試料空気に暴露された検知素子ほど、吸光度の差が大きいものとなる。また、アセトン濃度が１ｐｐｍと低濃度であっても検出されており、高感度でアセトンの検出が可能なことが判る。
【００２４】
また、アセトンの濃度を１ｐｐｍの濃度で作製した試料空気に、本実施の形態のアセトン検知素子を、３時間及び６時間暴露する。この暴露の前と後とにおける検知素子の、波長３９５ｎｍにおける透過吸光度の差と、試料空気におけるアセトン濃度との関係を調べると、図４に示すようになり、いずれの濃度の試料空気においても、暴露時間が長いほど、吸光度の差が大きくなっている。
【００２５】
以上説明したように、本実施の形態１におけるアセトン検知素子によれば、光を透過する多孔質ガラスである多孔体を基板とし、この複数の孔内に４−ニトロフェニルヒドラジン及び塩酸を含む検知剤を担持させたので、空気中に含まれるｐｐｍレベルの微量なアセトンを、精度よく測定することが可能となる。また、図４を用いて説明したように、測定の時間を長くするほど吸光度の変化が大きく測定されるので、本検知素子は時間的に蓄積した濃度の測定が可能であり、ｐｐｂレベルの極微量な濃度のアセトンの測定も可能である。
【００２６】
前述した本実施の形態におけるアセトン検知素子を用いた測定装置としては、例えば、発光光の中心波長が３８５ｎｍの紫外光発光ダイオードとフォトディテクタとの間に本検知素子を配置し、検知素子を透過した光をフォトディテクタで検出可能とし、フォトディテクタからの出力信号を処理して検知素子の吸光度の変化を出力する構成とすればよい。このような簡便な装置構成で、上述した極微量なアセトンの測定が容易に行える。
【００２７】
［実施の形態２］
次に、本発明の実施の形態２におけるアセトン検知素子について、検知素子の作製方法とともに説明する。実施の形態２において用いる２−または４−位に官能基を有するフェニルヒドラジン化合物は、２−ニトロフェニルヒドラジンである。はじめに、アセトン検知素子の作製方法について説明する。以下でも、実施の形態１と同様に図１（ａ）〜図１（ｆ）を用いて説明する。まず、図１（ａ）に示すように、２−ニトロフェニルヒドラジン０．０１ｇを塩酸０．１ｍｌをメタノールに溶解し、全量を２５ｍｌとした検知剤溶液１０１を容器１０２の中に作製する。
【００２８】
次に、図１（ｂ）に示すように、検知剤溶液１０１に、平均孔径４ｎｍの多孔質ガラスである多孔体１０３を浸漬する。多孔体１０３は、例えば、コーニング社製のバイコール＃７９３０である。バイコール＃７９３０は平均孔径４ｎｍの複数の細孔を有する多孔体である。また、多孔体１０３は、例えば、８（ｍｍ）×８（ｍｍ）で厚さ１（ｍｍ）のチップサイズである。なお、多孔体１０３は、平均孔径が２０ｎｍ以下であるとよい。
【００２９】
上述した多孔体１０３を検知剤溶液１０１に２時間浸漬し、多孔体１０３の孔内に検知剤溶液を含浸させた後、検知剤が含浸した多孔体１０３を風乾し、図１（ｃ）に示すように、窒素ガス気流中に２４時間放置して乾燥し、検知素子（アセトン検知素子）１０３ａを作製する。従って、検知素子１０３ａにはフェニルヒドラジン化合物と酸よりなる検知剤が導入され、検知素子１０３ａの多孔質の孔内に上記検知剤が担持されているものとなる。本実施の形態２では、フェニルヒドラジン化合物として、２−ニトロフェニルヒドラジンを用い、酸として塩酸を用いている。
【００３０】
このように構成された検知素子１０３ａによれば、孔内にアセトンが侵入すると、孔内に配置されたフェニルヒドラジン化合物（２−ニトロフェニルヒドラジン）とが酸性条件で反応し、可視光域に光吸収特性を備える反応生成物が生成される。この結果、以下に示すように、検知素子の吸光度が、アセトンを測定した後に変化するものと考えられる。
【００３１】
次に、検知素子１０３ａを用いたアセトンの検出方法について説明すると、まず、検知素子１０３ａの厚さ方向の吸光度を測定する。例えば、図１（ｄ）に示すように、光強度Ｉ０の入射光を透過させた透過光の強度Ｉを測定し、これらより吸光度（＝ｌｏｇ10（Ｉ０／Ｉ））を求める。
【００３２】
次に、図１（ｅ）に示すように、例えば１０ｐｐｍの濃度のアセトンが存在する測定対象の空気１０４中に、検知素子１０３ａを３時間暴露する。この暴露は、室温（約２０℃）の状態で行う。この後、暴露後の検知素子１０３ｂを測定対象の空気１０４中より取り出し、図１（ｆ）に示すように、暴露後の検知素子１０３ｂの厚さ方向の吸光度を測定する。
【００３３】
上述した２回の吸光度の測定（吸光光度分析）結果を図５に示す。図５では、測定対象の空気に暴露する前の吸光度の測定結果を破線で示し、暴露した後の吸光度の測定結果を実線で示す。図５に示すように、波長４５０ｎｍ程度を中心として波長２５０〜５００ｎｍの範囲において、実線（暴露後吸収スペクトル）と破線（暴露前吸収スペクトル）との間に大きな違いがみられる。実線から破線を差し引くことで、反応生成物質の吸収極大が判明し、実施の形態２において、それはおよそ４５０ｎｍである。吸収極大を示す波長は、反応出発物質の２−ニトロフェニルヒドラジンでは３６０ｎｍ、反応生成物質のアセトン−２−ニトロフェニルヒドラゾンでは４５０ｎｍで両者の間の違いは９０ｎｍである。特に、可視領域である３８０〜５５０ｎｍに大きな違いがみられ、暴露前の検知素子は目視でほぼ透明にみられるが、暴露後は黄色にみられる。
【００３４】
図５に示したように、アセトンが含まれる空気に検知素子１０３ａを暴露した後の、検知素子１０３ｂの吸光度の測定（実線）では、おおよそ４５０ｎｍを中心とした吸光度が増加している。従って、本実施の形態におけるアセトン検知素子における光吸収の変化の測定や、色の変化の観察により、アセトンの測定及び定量などの測定が可能になる。例えば、青色の発光ダイオード（中心波長４７０ｎｍ）からの光の透過率を測定することで上記光吸収の変化が検出可能である。
【００３５】
次に、本実施の形態におけるアセトン検知素子を用いた測定例について説明する。例えば、アセトン濃度を１〜１０ｐｐｍの濃度範囲で作製した試料空気に、本実施の形態のアセトン検知素子を、３時間暴露する。この暴露の前と後とにおける検知素子の、波長４５０ｎｍにおける透過吸光度の差と、試料空気におけるアセトン濃度との関係を調べると、図６に示すようになり、アセトン濃度が高い試料空気に暴露された検知素子ほど、吸光度の差が大きいものとなる。また、アセトン濃度が１ｐｐｍと低濃度であっても検出されており、高感度でアセトンの検出が可能なことが判る。
【００３６】
また、アセトンの濃度を１ｐｐｍの濃度で作製した試料空気に、本実施の形態のアセトン検知素子を、３時間及び６時間暴露する。この暴露の前と後とにおける検知素子の、波長４５０ｎｍにおける透過吸光度の差と、試料空気におけるアセトン濃度との関係を調べると、図７に示すようになり、いずれの濃度の試料空気においても、暴露時間が長いほど、吸光度の差が大きくなっている。
【００３７】
以上説明したように、本実施の形態２におけるアセトン検知素子によれば、光を透過する多孔質ガラスである多孔体を基板とし、この複数の孔内に２−ニトロフェニルヒドラジン及び塩酸を含む検知剤を担持させたので、空気中に含まれるｐｐｍレベルの微量なアセトンを、精度よく測定することが可能となる。また、図７を用いて説明したように、測定の時間を長くするほど吸光度の変化が大きく測定されるので、本検知素子は時間的に蓄積した濃度の測定が可能であり、ｐｐｂレベルの極微量な濃度のアセトンの測定も可能である。
【００３８】
前述した本実施の形態におけるアセトン検知素子を用いた測定装置としては、例えば、発光光の中心波長が４７０ｎｍの青色光発光ダイオードとフォトディテクタとの間に本検知素子を配置し、検知素子を透過した光をフォトディテクタで検出可能とし、フォトディテクタからの出力信号を処理して検知素子の吸光度の変化を出力する構成とすればよい。このような簡便な装置構成で、上述した極微量なアセトンの測定が容易に行える。
【００３９】
［比較例１］
次に、本発明の比較例１におけるアセトン検知素子について、検知素子の作製方法とともに説明する。比較例１では、２−または４−位に官能基を有するフェニルヒドラジン化合物ではない３−ニトロフェニルヒドラジンが用いられる。はじめに、アセトン検知素子の作製方法について説明する。以下でも、実施の形態１と同様に図１（ａ）〜図１（ｆ）を用いて説明する。まず、図１（ａ）に示すように、３−ニトロフェニルヒドラジン０．０１ｇと塩酸０．１ｍｌをメタノールに溶解し、全量を２５ｍｌとした検知剤溶液１０１を容器１０２の中に作製する。
【００４０】
次に、図１（ｂ）に示すように、検知剤溶液１０１に、平均孔径４ｎｍの多孔質ガラスである多孔体１０３を浸漬する。多孔体１０３は、例えば、コーニング社製のバイコール＃７９３０である。バイコール＃７９３０は平均孔径４ｎｍの複数の細孔を有する多孔体である。また、多孔体１０３は、例えば、８（ｍｍ）×８（ｍｍ）で厚さ１（ｍｍ）のチップサイズである。なお、多孔体１０３は、平均孔径が２０ｎｍ以下であるとよい。
【００４１】
上述した多孔体１０３を検知剤溶液１０１に２時間浸漬し、多孔体１０３の孔内に検知剤溶液を含浸させた後、検知剤が含浸した多孔体１０３を風乾し、図１（ｃ）に示すように、窒素ガス気流中に２４時間放置して乾燥し、検知素子（アセトン検知素子）１０３ａを作製する。従って、検知素子１０３ａにはフェニルヒドラジン化合物と酸よりなる検知剤が導入され、検知素子１０３ａの多孔質の孔内に上記検知剤が担持されているものとなる。比較例１では、フェニルヒドラジン化合物として、３−ニトロフェニルヒドラジンを用い、酸として塩酸を用いている。
【００４２】
このように構成された検知素子１０３ａによれば、孔内にアセトンが侵入すると、孔内に配置されたフェニルヒドラジン化合物（３−ニトロフェニルヒドラジン）とが酸性条件で反応し、３−ニトロフェニルヒドラジンとは異なる光吸収特性を備える反応生成物が生成される。この結果、以下に示すように、検知素子の吸光度が、アセトンを測定した後に変化するものと考えられる。
【００４３】
次に、検知素子１０３ａを用いたアセトンの検出方法について説明すると、まず、検知素子１０３ａの厚さ方向の吸光度を測定する。例えば、図１（ｄ）に示すように、光強度Ｉ０の入射光を透過させた透過光の強度Ｉを測定し、これらより吸光度（＝ｌｏｇ10（Ｉ０／Ｉ））を求める。
【００４４】
次に、図１（ｅ）に示すように、例えば１０ｐｐｍの濃度のアセトンが存在する測定対象の空気１０４中に、検知素子１０３ａを３時間暴露する。この暴露は、室温（約２５℃）の状態で行う。この後、暴露後の検知素子１０３ｂを測定対象の空気１０４中より取り出し、図１（ｆ）に示すように、暴露後の検知素子１０３ｂの厚さ方向の吸光度を測定する。
【００４５】
上述した２回の吸光度の測定（吸光光度分析）結果を図８に示す。図８では、測定対象の空気に暴露する前の吸光度の測定結果を破線で示し、暴露した後の吸光度の測定結果を実線で示す。図８に示すように、アセトン暴露後も可視領域に違いは見られず、変化は紫外領域のみである。
【００４６】
実施の形態１〜２では暴露前の吸収スペクトルと暴露後の吸収スペクトルとでは吸収極大の波長が５０ｎｍ以上異なり、目視でも色の違いが明らかに観察されるが、比較例では色の違いは目視で観察されない。
【００４７】
［比較例２］
次に、本発明の比較例２におけるアセトン検知素子について、検知素子の作製方法とともに説明する。比較例２では、２−または４−位に官能基を有するフェニルヒドラジン化合物ではない２、４−ニトロフェニルヒドラジンが用いられる。はじめに、アセトン検知素子の作製方法について説明する。以下でも、実施の形態１と同様に図１（ａ）〜図１（ｆ）を用いて説明する。まず、図１（ａ）に示すように、２、４−ジニトロフェニルヒドラジン０．０１ｇと塩酸０．１ｍｌをメタノールに溶解し、全量を２５ｍｌとした検知剤溶液１０１を容器１０２の中に作製する。
【００４８】
次に、図１（ｂ）に示すように、検知剤溶液１０１に、平均孔径４ｎｍの多孔質ガラスである多孔体１０３を浸漬する。多孔体１０３は、例えば、コーニング社製のバイコール＃７９３０である。バイコール＃７９３０は平均孔径４ｎｍの複数の細孔を有する多孔体である。また、多孔体１０３は、例えば、８（ｍｍ）×８（ｍｍ）で厚さ１（ｍｍ）のチップサイズである。なお、多孔体１０３は、平均孔径が２０ｎｍ以下であるとよい。
【００４９】
上述した多孔体１０３を検知剤溶液１０１に２時間浸漬し、多孔体１０３の孔内に検知剤溶液を含浸させた後、検知剤が含浸した多孔体１０３を風乾し、図１（ｃ）に示すように、窒素ガス気流中に２４時間放置して乾燥し、検知素子（アセトン検知素子）１０３ａを作製する。従って、検知素子１０３ａにはフェニルヒドラジン化合物と酸よりなる検知剤が導入され、検知素子１０３ａの多孔質の孔内に上記検知剤が担持されているものとなる。比較例２では、フェニルヒドラジン化合物として、２、４−ジニトロフェニルヒドラジンを用い、酸として塩酸を用いている。
【００５０】
このように構成された検知素子１０３ａによれば、孔内にアセトンが侵入すると、孔内に配置されたフェニルヒドラジン化合物（２、４−ジニトロフェニルヒドラジン）とが酸性条件で反応し、２、４−ジニトロフェニルヒドラジンとは異なる光吸収特性を備える反応生成物が生成される。この結果、以下に示すように、検知素子の吸光度が、アセトンを測定した後に変化するものと考えられる。
【００５１】
次に、検知素子１０３ａを用いたアセトンの検出方法について説明すると、まず、検知素子１０３ａの厚さ方向の吸光度を測定する。例えば、図１（ｄ）に示すように、光強度Ｉ０の入射光を透過させた透過光の強度Ｉを測定し、これらより吸光度（＝ｌｏｇ10（Ｉ０／Ｉ））を求める。
【００５２】
次に、図１（ｅ）に示すように、例えば１０ｐｐｍの濃度のアセトンが存在する測定対象の空気１０４中に、検知素子１０３ａを１時間暴露する。この暴露は、室温（約２０℃）の状態で行う。この後、暴露後の検知素子１０３ｂを測定対象の空気１０４中より取り出し、図１（ｆ）に示すように、暴露後の検知素子１０３ｂの厚さ方向の吸光度を測定する。
【００５３】
上述した２回の吸光度の測定（吸光光度分析）結果を図９に示す。図９では、測定対象の空気に暴露する前の吸光度の測定結果を破線で示し、暴露した後の吸光度の測定結果を実線で示す。図９に示すように、暴露前の吸収の吸収極大の波長と暴露後の吸収の吸収極大の波長がほぼ同じである。反応出発物質の２，４−ジニトロフェニルヒドラジンの吸収極大が３５５ｎｍであり、反応生成物質のアセトン−２，４−ジニトロフェニルヒドラゾンの吸収極大が３６５ｎｍであり、両者の間には１０ｎｍの違いしか存在しない。暴露前の検知素子は目視で黄色に観察され、また暴露後も目視で黄色に観察される。
【００５４】
実施の形態１〜２では暴露前の吸収スペクトルと暴露後の吸収スペクトルとでは吸収極大の波長が５０ｎｍ以上異なり、目視でも色の違いが明らかに観察されるが、比較例では色の違いは目視で観察されず、また吸光度の比較から簡単にアセトン濃度の算出は出来ない。
【００５５】
次に、上述したアセトン検知素子におけるアセトンの検知について、より詳細に説明する。まず、前述した実施の形態１におけるアセトンを用いた検知素子における光吸収の変化は、有機反応として示されているヒドラジンとケトンもしくはアルデヒドの反応による、ヒドラゾン化合物の生成反応と同様の結果によるものと考えられる。アルデヒドやケトンの検出法として知られているＤＮＰＨ法では、よく知られているように、シリカゲルなどに担持された２，４−ジニトロフェニルヒドラジンに対象物質を暴露し、ヒドラゾン化合物を生成させ、アセトニトリルなどで溶出させ、液体クロマトグラフ法で分離・分析を行っている。しかしながら、ＤＮＰＨ法では、溶液を用いる溶出などの複雑な手順や、クロマログラフ装置などの大型の装置が必要である。
【００５６】
これに対し、前述した本実施の形態におけるアセトン検知素子によれば、溶液を用いる複雑な手順や大型の装置の必要はない。本実施の形態によれば、検知素子の基板が多孔体であるため表面積が大きく、また透明であり、含浸化合物の吸収スペクトルの吸収極大の波長が可視領域から２０ｎｍ以上離れており、また生成物質の吸収極大の波長との差が５０ｎｍ以上あるために吸光度の測定が可能であり、簡便に測定が可能である。また、生成物の吸収極大が可視領域に近いために目視による観察も可能である。
【００５７】
このことは実施の形態１〜２に示したフェニルヒドラジン化合物いずれにおいても同様である。例えば、孔内に侵入してきたアセトンと、４−ニトロフェニルヒドラジンにより、前述した反応生成物として、アセトン−４−ニトロフェニルヒドラゾンが生成される。また、この反応生成物が室温で安定に多孔質孔内に存在すると考えられる。
【００５８】
またＤＮＰＨ法ではアルデヒド類やケトン類などアセトン以外の物質でも同様の反応が起こり、それを液体クロマトグラフィーで分離しているが、本実施の形態におけるアセトン検知素子によれば、吸光度の測定が可能なことよりスペクトル解析により他の干渉物質と区別することが出来る。
【００５９】
なお、本発明では、フェニルヒドラジン化合物として、４−ニトロフェニルヒドラジン、２−ニトロフェニルヒドラジンを用いるようにしたが、これに限るものではなく、２−または４−位に官能基を有するフェニルヒドラジン化合物を用いることで、アセトンとの反応前後での吸収スペクトルの極大値が少なくとも５０ｎｍ以上離れている本発明のアセトン検知素子とすることができる。また、上述では塩酸を用いたが、これに限るものではない。例えば、リン酸や酢酸でも同様である。
【００６０】
また、上述したアセトン検知素子における吸光度の変化は、色の変化として目視により確認容易である。例えば、波長４００〜４７０ｎｍ付近の光吸収強度が、５段階に変化しているカラーチャートを用意し、このカラーチャートとの比較により、各アセトン検知素子における色の変化を、評価値が大きいほど色が濃く観察されたことを示す５段階で評価する。予めアセトンの濃度が既知の試料空気を用意してこれを測定し、この測定結果を上記カラーチャートで評価しておくことで、カラーチャートの５段階の色毎にアセトンの濃度値を割り当てる。このようにして、濃度値が割り当てられたカラーチャートを用い、測定後のアセトン検知素子の色を目視で評価すれば、測定した空気中におけるアセトンの濃度が判断できる。
【符号の説明】
【００６１】
１０１・・・検知剤溶液、１０２・・・容器、１０３・・・多孔体、１０３ａ・・・検知素子（アセトン検知素子）、１０３ｂ・・・暴露後の検知素子、１０４・・・測定対象の空気
【図１】
2019196908.tif 000003
【図２】
2019196908.tif 000004
【図３】
2019196908.tif 000005
【図４】
2019196908.tif 000006
【図５】
2019196908.tif 000007
【図６】
2019196908.tif 000008
【図７】
2019196908.tif 000009
【図８】
2019196908.tif 000010
【図９】
2019196908.tif 000011